(57)【特許請求の範囲】
【請求項１】
操作レバーの一方向の操作による押圧部材の一方向の摺動動作を介してポールの摺動規制が維持されることにより前記ポールとラチエツトとの噛合が維持されると共に前記操作レバーの他方向の操作による前記押圧部材の他方向の摺動動作を介して前記ポールの摺動規制が解除されることにより前記ポールと前記ラチエツトとの噛合が解除可能とされるリクライニング装置において、前記操作レバーと前記ポールとの間に設けられ前記操作レバーの操作によって少なくとも前記ポールの摺動規制の解除に連動して前記ポールを摺動させて前記ポールと前記ラチエツトとの噛合を解除させる連動機構を有し、該連動機構は前記ポールに形成された第１係合部と前記押圧部材に設けられた第２係合部とによって構成され前記押圧部材の他方向の摺動動作後に前記第１係合部と前記第２係合部とが係合可能であり、かつ前記ポールに形成されたカム面と前記押圧部材に形成されたカム面との合致当接により前記ポールと前記押圧部材とが夫々押圧されるようになっていることを特徴とするリクライニング装置。
【請求項２】
前記連動機構は、前記ポールに突設されたピンと前記操作レバーに形成されたカム長穴とによって構成され前記押圧部材の他方向の摺動動作後に前記ピンと前記カム長穴とがカム作用する、請求項１記載のリクライニング装置。
【発明の詳細な説明】
【０００１】
【発明の目的】
【０００２】
【産業上の利用分野】
本発明は、リクライング装置に関するものである。
【０００３】
【従来の技術】
従来、この種のリクライニング装置としては、特公平５−６０９２４号公報に示されるものが知られている。これは、シートクツシヨンに固定されるロアアームと、シートバツクに固定されヒンジピンを介してロアアームに回動自在に支持されるアツパアームと、アツパアームに固定されたラチエツトと、ロアアームに形成されたガイド部と、ガイド部に摺動自在に支持されラチエツトと噛合可能なポールと、ガイド部に摺動自在に支持されポールをガイド部に押圧可能な押圧部材と、ヒンジピンに回動自在に支持され押圧部材に連係された操作レバーとを有するものであつた。この従来装置においては、操作レバーの一方向の操作による押圧部材の一方向の摺動動作を介してポールの摺動規制が維持されることによりポールとラチエツトとの噛合が維持され、操作レバーの他方向の操作による押圧部材の他方向の摺動動作を介してポールの摺動規制が解除されることによりポールとラチエツトとの噛合が解除可能とされ且つポールの自重やラチエツトとの噛合による反力によつて自動的にポールが摺動動作することによりポールとラチエツトとの噛合が解除されるものであつた。
【０００４】
【発明が解決しようとする課題】
しかし、上記した従来装置であると、ポールの自重やラチエツトとの噛合による反力でポールが摺動動作させられることによりポールとラチエツトとの噛合が解除されるので、ポールの摺動規制が維持されている際のポールとラチエツトとの噛合に過度な食い込みが生じるとポールの摺動規制が解除されているにもかかわらずポールが摺動動作しないこととなる恐れがあつた。又、ポールとラチエツトとの噛合が維持されている際のアツパアームのロアアームに対する回動方向のガタツキを防止するためにポールは押圧部材によつてガイド部に押圧されているので、このポールのガイド部への押圧が、ポールの摺動規制が維持されている際のポールとラチエツトとの噛合により一層過度な食い込みを生じさせやすくすることとなる。
【０００５】
故に、本発明は、ポールとラチエツトとの噛合が解除可能とされている際のポールの摺動動作が確実に行われるようにすることを、その技術的課題とするものである。
【０００６】
【発明の構成】
【０００７】
【課題を解決するための手段】
上記技術的課題を解決するために本発明において講じた技術的手段は、操作レバーの一方向の操作による押圧部材の一方向の摺動動作を介してポールの摺動規制が維持されることにより前記ポールとラチエツトとの噛合が維持されると共に前記操作レバーの他方向の操作による前記押圧部材の他方向の摺動動作を介して前記ポールの摺動規制が解除されることにより前記ポールと前記ラチエツトとの噛合が解除可能とされるリクライニング装置において、前記操作レバーと前記ポールとの間に設けられ前記操作レバーの操作によって少なくとも前記ポールの摺動規制の解除に連動して前記ポールを摺動させて前記ポールと前記ラチエツトとの噛合を解除させる連動機構を有し、該連動機構は前記ポールに形成された第１係合部と前記押圧部材に設けられた第２係合部とによって構成され前記押圧部材の他方向の摺動動作後に前記第１係合部と前記第２係合部とが係合可能であり、かつ前記ポールに形成されたカム面と前記押圧部材に形成されたカム面との合致当接により前記ポールと前記押圧部材とが夫々押圧されるようになっている、ことである。
【０００８】
【作用】
この技術的手段によれば、上記技術的手段によれば、連動機構によってポールとラチエツトとの噛合が解除可能とされた際にポールの摺動規制の解除と連動してポールが強制的に摺動動作させられる。よつて、ポールとラチエツトとの噛合に過度な食い込みを生じていたとしてもポールは確実に摺動動作させられる。また、連動機構では、ポールに形成された第１係合部と押圧部材に設けられた第２係合部とによって構成され前記押圧部材の他方向の摺動動作後に第１係合部と第２係合部とが係合するため、ポールと押圧部材との係合を確実にすることができる。そして、ポールは押圧部材の他方向の摺動動作を介して摺動するようになっており、ポールに形成されたカム面と押圧部材に形成されたカム面との合致当接により、ポールと押圧部材とが夫々押圧されるようになっている。このため、押圧部材に押圧されたポールとラチエツトとの噛合が維持されることとなり、アッパアームのロアアームに対する回動方向のガタツキが防止されることとなる。
【０００９】
【実施例】
以下、本発明の実施例を添付図面に基づいて説明する。
【００１０】
図１及び図２に示されるように、リクライニング装置１は、シートクツシヨンに固定されるロアアーム２，シートバツクに固定されるアツパアーム３，アツパアーム３をロアアーム２に対して回動自在に支持するヒンジピン５及びロアアーム２とアツパアーム３との間に配設されアツパアーム３をロアアーム２に対して回動可能又は回動不能にする調整機構４とから構成されている。
【００１１】
調整機構４は、ラチエツト４１，ポール４２，押圧部材４３，操作レバー４４とから構成されている。ラチエツト４１は、アツパアーム３にヒンジピン５回りで固定されており、扇状に歯４１ａが形成されている。ポール４２及び押圧部材４３は、ロアアーム２に固定された断面コ字状のブラケツト４５内にブラケツト４５の側壁４５ａ，４５ｂに対して所定のスキをもつて夫々側壁４５ａ，４５ｂに沿つて摺動自在に支持されている。ポール４２の摺動方向一側面にはラチエツト４１の歯４１ａと噛合可能な歯４２ａが形成されており、摺動方向他側面には側壁４５ａ，４５ｂに対して斜めとされたカム面４２ｂが形成されている。押圧部材４３の摺動方向一側面にはポール４２のカム面４２ｂと合致するカム面４３ａが形成されている。又、この押圧部材４３にはブラケツト４５の底壁４５ｃに形成された長穴４５ｄを介して突出するピン４３ｂが立設されており、さらに、摺動方向他側面には接触面４３ｃが形成されている。操作レバー４４は、ヒンジピン５に回動自在に支持されている。この操作レバー４４にはピン４３ｂが挿通されるカム長穴４４ａが形成されており、さらに、接触面４３ｃと接触するローラ４４ｂが支持されている。又、操作レバー４４とロアアーム２との間にはスプリング４６が配設されており、操作レバー４４はこのスプリング４６の付勢力を受けて接触面４３ｃとローラ４４ｂとが接触し且つカム面４３ａとカム面４２ｂとが合致当接してポール４２を押圧するように一方向（図１示反時計方向）に常時付勢されている。尚、接触面４３ｃとローラ４４ｂとの接触は、ローラ４４ｂが接触面４３ｃを押圧する如き接触であつて、スプリング４６の付勢力によるローラ４４ｄと接触面４３ｃとの外れは接触面４３ｄのカム形状及び突起によつて規制される。
【００１２】
本発明の所要部である連動機構の第１の実施例について説明する。
【００１３】
ポール４２の摺動方向他側面にはカム面４２ｂより連続してポール４２及び押圧部材４３の摺動方向とは直交した凸状の係合部４７が形成されている。又、押圧部材４３の摺動方向一側面にはカム面４３ａより連続してポール４２及び押圧部材４３の摺動方向とは直交した凹状の係合部４８が形成されている。この係合部４７と係合部４８とはポール４２及押圧部材４３の摺動他方向（図１示左方向）において係合可能であつて、図３に示されるように、操作レバー４４を他方向に回動させた際にピン４３ｂとカム長穴４４ａとのカム作用より遅れて係合するようにポール４２とラチエツト４１とが噛合されている状態（図１示）で両係合部４７，４８の係合面４７ａ，４８ａ間に所定のスキＡが持たされている。
【００１４】
次に作動について説明する。
【００１５】
図１は、ポール４２とラチエツト４１とが噛合してアツパアーム３のロアアーム２に対する回動が規制された状態を示す。
【００１６】
この状態において、操作レバー４４をスプリング４６の付勢力に抗して操作して他方向（図１示時計方向）に回動させると、ローラ４４ｂと接触面４３ｃとの接触が解除されると共にピン４３ｂとカム長穴４４ａとのカム作用によつて押圧部材４３が他方向に摺動させられ、これにより、ポール４２の摺動規制が解除されポール４２とラチエツト４１との噛合が解除可能な状態となる。押圧部材４３がスキＡだけ摺動動作すると、係合部４７の係合面４７ａと係合部４８の係合面４８ａとが係合してポール４２が他方向に摺動動作させられる。これにより、ポール４２とラチエツト４１との噛合が解除され、アツパアーム３がロアアーム２に対して回動可能となる。
【００１７】
アツパアーム３がロアアーム２に対して回動可能とされた状態で、操作レバー４４のスプリング４６の付勢力に抗した操作を解除すると、操作レバー４４はスプリング４６の付勢力を受けて一方向に回動し、ローラ４４ｂと接触面４３ｃとが接触すると共にピン４３ｂとカム長穴４４ａとのカム作用によつて押圧部材４３が一方向（図１示右方向）に摺動させられる。これにより、押圧部材４３によつてポール４２が一方向に摺動させられ、ポール４２とラチエツト４３とが噛合し、アツパアーム３のロアアーム２に対する回動が規制される。この時、ポール４２の他方向の摺動は、ローラ４４ｂと接触面４３ｃとの接触及びピン４３ｂとカム長穴４４ａとの挿通によつて押圧部材４３を介して規制される。これにより、ポール４２とラチエツト４３との噛合が維持される。又、押圧部材４３の一方向の摺動により押圧部材４３が一方向に摺動させられる際、ポール４２及び押圧部材４３はカム面４２ｂとカム面４３ａとの合致当接により側壁４５ａ，４５ｂに夫々押圧されることになる。これにより、ポール４２とラチエツト４３との噛合が維持されている際のアツパアーム３のロアアーム２に対する回動方向のガタツキが防止される。
【００１８】
本発明の主要部である連動機構の第２の実施例について説明する。
【００１９】
図４に示されるように、ポール４２にはブラケツト４５の底壁４５ｃに形成された長穴４５ｅを介して突出するピン４９が立設されている。操作レバー４４にはカム長穴５０が形成されている。ピン４９はカム長穴５０に挿通されており、このピン４９とカム長穴５０との挿通は、操作レバー４４を他方向に回動させた際にピン４３ｂとカム長穴４４ａとのカム作用より遅れてカム作用するように、回動方向におけるズレＢが持たされている。
【００２０】
次に作動について説明する。
【００２１】
図４は、ポール４２とラチエツト４１とが噛合してアツパアーム３のロアアーム２に対する回動が規制された状態を示す。
【００２２】
この状態において、操作レバー４４をスプリング４６の付勢力に抗して操作して他方向（図１示時計方向）に回動させると、前述の作動と同様にポール４２の摺動規制が解除されポール４２とラチエツト４１との噛合が解除可能な状態となる。操作レバー４４がズレＢだけ回動すると、ピン４９とカム長穴５０とのカム作用によつてポール４２が他方向に摺動動作させられる。これにより、前述の作動と同様にアツパアーム３がロアアーム２に対して回動可能となる。
【００２３】
尚、操作レバーを一方向に回動する場合に作動は、前述の実施例と同様であるので、その説明は省略する。
【００２４】
上記したように、連動機構である係合部４７と係合部４８との係合又はピン４９とカム長穴５０とのカム作用によつてポール４２とラチエツト４１との噛合が解除可能とされた際にポール４２の摺動規制の解除と連動してポール４２が強制的に摺動動作させられる。よつて、ポール４２とラチエツト４１との噛合に過度な食い込みを生じていたとしてもポール４２は確実に摺動動作させられる。又、係合部４７と係合部４８との係合又はピン４９とカム長穴５０とのカム作用はピン４３ｂとカム長穴４５とのカム作用に対してスキＡ又はズレＢが設定されているので、押圧部材４３が他方向にある程度摺動動作した後にポール４２が他方向に摺動動作させられる。よつて、ポール４２のカム面４２ｂと押圧部材４３のカム面４３ａとが過度に食い込み、カム面４２ｂ，４３ａの作用によるポール４２のブラケツト４５の側壁４５ａへの押圧によつてポール４２の摺動動作が妨げられることが防止される。
【００２５】
【発明の効果】
本発明によれば、操作レバーとポールとの間に連動機構を設けたので、この連動機構によつてポールとラチエツトとの噛合が解除可能とされた際にポールの摺動規制の解除と連動してポールを強制的に摺動動作させることができる。これにより、ポールの確実な摺動動作を確保することができる。又、連動機構は、押圧部材の他方の摺動動作後に作動するものとしたので、ポールの摺動動作が押圧部材によつて妨げられることを防止することができる。
【図面の簡単な説明】
【図１】本発明に係るリクライニング装置の平面図である。
【図２】本発明に係るリクライニング装置の平面図である。
【図３】本発明に係るリクライニング装置の主要部の第１の実施例を示す拡大図である。
【図４】本発明に係るリクライニング装置の主要部の第２の実施例を示す拡大図である。
【符号の説明】
４１  ラチエツト
４２  ポール
４３  押圧部材
４４  操作レバー
４７  係合部（第１係合部，連動機構）
４８  係合部（第２係合部，連動機構）
４９  ピン（連動機構）
５０  カム長穴（連動機構）
【図１】
0003596010.tif 000002
【図２】
0003596010.tif 000003
【図３】
0003596010.tif 000004
【図４】
0003596010.tif 000005